【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】
生体音採取手段により人体から採取された生体音データを処理する生体音信号処理システムにおいて、
複数の異なる採取位置から逐次的に採取された生体音データを可視化処理する信号処理手段と、
前記可視化処理された生体音データを前記採取位置に対応付けて表示する表示手段と、
前記信号処理手段に対する処理動作指示信号を送信する指示手段と、
を備え、
前記処理動作指示信号は、採取位置の順番の変更指示又は採取済みデータの廃棄指示を含むことを特徴とする生体音信号処理システム。
【請求項２】
生体音採取手段により人体から採取された生体音データを処理する生体音信号処理システムにおいて、
複数の異なる採取位置から逐次的に採取された生体音データを可視化処理する信号処理手段と、
前記可視化処理された生体音データを前記採取位置に対応付けて表示する表示手段と、
前記信号処理手段に対する処理動作指示信号を送信する指示手段と、
を備え、
前記指示手段は、前記生体音採取手段の人体に対する接触若しくは接近又は引き離し動作に連動して、生体音の採取の開始又は終了の指示信号を送信することを特徴とする生体音信号処理システム。
【請求項３】
請求項１又は２に記載の生体音信号処理システムにおいて、
前記信号処理手段は、さらに、前記複数の異なる採取位置から逐次的に採取された生体音データを解析して生体音の特徴、疾病候補の種類又は疾病候補に該当する確率を抽出し、
前記採取された生体音データの解析に際して採取位置ごとの生体音の差を参照することを特徴とする生体音信号処理システム。
【請求項４】
請求項１又は２に記載の生体音信号処理システムにおいて、
前記信号処理手段は、さらに、前記複数の異なる採取位置から逐次的に採取された生体音データを解析して生体音の特徴、疾病候補の種類又は疾病候補に該当する確率を抽出し、
前記採取された生体音データの解析は、予め蓄積された症例データと前記採取された生体音データとの比較照合により行われることを特徴とする生体音信号処理システム。
【請求項５】
請求項１〜４のいずれか一項に記載の生体音信号処理システムにおいて、
前記複数の異なる採取位置は予め定められた順番に設定され、当該設定された順番に対応付けて、前記採取された生体音データを帰属させることを特徴とする生体音信号処理システム。
【請求項６】
請求項５に記載の生体音信号処理システムにおいて、
前記複数の異なる採取位置の順番パターンが選択可能に複数設定され、当該設定された順番パターンの選択により、前記採取位置の順番が決定されることを特徴とする生体音信号処理システム。
【請求項７】
請求項１〜４のいずれか一項に記載の生体音信号処理システムにおいて、
前記生体音採取手段に、当該生体音採取手段の人体上における位置を検出する位置検出手段が設けられていることを特徴とする生体音信号処理システム。
【請求項８】
請求項７に記載の生体音信号処理システムにおいて、
前記位置検出手段は、加速度センサであることを特徴とする生体音信号処理システム。
【請求項９】
請求項１〜８のいずれか一項に記載の生体音信号処理システムにおいて、
前記採取された生体音データを保存する保存手段を備え、
前記信号処理手段は、前記保存手段により保存されている生体音データのうち、同一人物から異なる時期に採取された複数の生体音データを比較し、
前記表示手段は、それらの新旧生体音データの比較結果を表示することを特徴とする生体音信号処理システム。
【請求項１０】
請求項９に記載の生体音信号処理システムにおいて、
前記新旧生体音データの比較結果は、生体音の特徴の状態の変化又は疾病候補の状態の変化であることを特徴とする生体音信号処理システム。
【請求項１１】
請求項１〜１０のいずれか一項に記載の生体音信号処理システムにおいて、
前記生体音採取手段に、前記採取された生体音データを前記信号処理手段へ無線送信する無線送信手段が設けられていることを特徴とする生体音信号処理システム。
【請求項１２】
請求項１に記載の生体音信号処理システムにおいて、
前記指示手段は、前記生体音採取手段の人体に対する接触若しくは接近又は引き離し動作に連動して、生体音の採取の開始又は終了の指示信号を送信することを特徴とする生体音信号処理システム。
【手続補正２】
【補正対象書類名】明細書
【補正対象項目名】００１０
【補正方法】変更
【補正の内容】
【００１０】
【課題を解決するための手段】
上記の課題を解決するための請求項１に記載の発明は、生体音採取手段により人体から採取された生体音データを処理する生体音信号処理システムにおいて、複数の異なる採取位置から逐次的に採取された生体音データを可視化処理する信号処理手段と、前記可視化処理された生体音データを前記採取位置に対応付けて表示する表示手段と、前記信号処理手段に対する処理動作指示信号を送信する指示手段と、を備え、前記処理動作指示信号は、採取位置の順番の変更指示又は採取済みデータの廃棄指示を含むことを特徴とする生体音信号処理システムである。
【手続補正３】
【補正対象書類名】明細書
【補正対象項目名】００１２
【補正方法】変更
【補正の内容】
【００１２】
請求項１に記載の発明によれば、複数の異なる採取位置から逐次的に採取された生体音データを可視化処理し、採取位置に対応付けて表示するので、ユーザに複数の生体音データを容易に比較させることができ、診断精度を向上させることができる。また、指示手段により、採取位置の順番の変更指示又は採取済みデータの廃棄指示を含む処理動作指示信号を送信することができる。
【手続補正４】
【補正対象書類名】明細書
【補正対象項目名】００１３
【補正方法】変更
【補正の内容】
【００１３】
請求項２に記載の発明は、生体音採取手段により人体から採取された生体音データを処理する生体音信号処理システムにおいて、複数の異なる採取位置から逐次的に採取された生体音データを可視化処理する信号処理手段と、前記可視化処理された生体音データを前記採取位置に対応付けて表示する表示手段と、前記信号処理手段に対する処理動作指示信号を送信する指示手段と、を備え、前記指示手段は、前記生体音採取手段の人体に対する接触若しくは接近又は引き離し動作に連動して、生体音の採取の開始又は終了の指示信号を送信することを特徴とする生体音信号処理システムである。
【手続補正５】
【補正対象書類名】明細書
【補正対象項目名】００１４
【補正方法】変更
【補正の内容】
【００１４】
請求項２に記載の発明によれば、複数の異なる採取位置から逐次的に採取された生体音データを可視化処理し、採取位置に対応付けて表示するので、ユーザに複数の生体音データを容易に比較させることができ、診断精度を向上させることができる。また、指示手段により、生体音採取手段の人体に対する接触若しくは接近又は引き離し動作に連動して、生体音の採取の開始又は終了の指示信号を送信することができる。
【手続補正６】
【補正対象書類名】明細書
【補正対象項目名】００１５
【補正方法】変更
【補正の内容】
【００１５】
請求項３に記載の発明は、請求項１又は２に記載の生体音信号処理システムにおいて、前記信号処理手段は、さらに、前記複数の異なる採取位置から逐次的に採取された生体音データを解析して生体音の特徴、疾病候補の種類又は疾病候補に該当する確率を抽出し、前記採取された生体音データの解析に際して採取位置ごとの生体音の差を参照することを特徴とする生体音信号処理システムである。
【手続補正７】
【補正対象書類名】明細書
【補正対象項目名】００１６
【補正方法】変更
【補正の内容】
【００１６】
ここで、生体音データの解析方法については、ＦＦＴ（Fast Fourier Transformation：高速フーリエ変換）、ウェーブレット解析に基づく解析技術や音声認識の解析技術等を用いることができる。
【手続補正８】
【補正対象書類名】明細書
【補正対象項目名】００１８
【補正方法】変更
【補正の内容】
【００１８】
請求項４に記載の発明は、請求項１又は２に記載の生体音信号処理システムにおいて、前記信号処理手段は、さらに、前記複数の異なる採取位置から逐次的に採取された生体音データを解析して生体音の特徴、疾病候補の種類又は疾病候補に該当する確率を抽出し、前記採取された生体音データの解析は、予め蓄積された症例データと前記採取された生体音データとの比較照合により行われることを特徴とする生体音信号処理システムである。
【手続補正９】
【補正対象書類名】明細書
【補正対象項目名】００２７
【補正方法】変更
【補正の内容】
【００２７】
請求項９に記載の発明は、請求項１〜８のいずれか一項に記載の生体音信号処理システムにおいて、前記採取された生体音データを保存する保存手段を備え、前記信号処理手段は、前記保存手段により保存されている生体音データのうち、同一人物から異なる時期に採取された複数の生体音データを比較し、前記表示手段は、それらの新旧生体音データの比較結果を表示することを特徴とする生体音信号処理システムである。
【手続補正１０】
【補正対象書類名】明細書
【補正対象項目名】００２８
【補正方法】変更
【補正の内容】
【００２８】
請求項１０に記載の発明は、請求項９に記載の生体音信号処理システムにおいて、前記新旧生体音データの比較結果は、生体音の特徴の状態の変化又は疾病候補の状態の変化であることを特徴とする生体音信号処理システムである。
【手続補正１１】
【補正対象書類名】明細書
【補正対象項目名】００２９
【補正方法】変更
【補正の内容】
【００２９】
請求項９、１０に記載の発明によれば、同一人物から異なる時期に採取された複数の生体音データを比較することができるので、疾病の悪化や改善状況、治療や投薬の効果を定量的に把握することが可能となる。
【手続補正１２】
【補正対象書類名】明細書
【補正対象項目名】００３０
【補正方法】変更
【補正の内容】
【００３０】
請求項１１に記載の発明は、請求項１〜１０のいずれか一項に記載の生体音信号処理システムにおいて、前記生体音採取手段に、前記採取された生体音データを前記信号処理手段へ無線送信する無線送信手段が設けられていることを特徴とする生体音信号処理システムである。
【手続補正１３】
【補正対象書類名】明細書
【補正対象項目名】００３１
【補正方法】変更
【補正の内容】
【００３１】
生体音採取手段から信号処理手段へ長い導線を用いて信号を伝達すると、導線がこすれたり、物に当たったりして、その振動が生体音採取手段に伝達され、ノイズとなる場合がある。
【手続補正１４】
【補正対象書類名】明細書
【補正対象項目名】００３２
【補正方法】変更
【補正の内容】
【００３２】
請求項１１に記載の発明によれば、生体音採取手段から信号処理手段への生体音データの送信を無線で行うので、生体音採取手段と信号処理手段とをつなぐ信号配線が不要となり、生体音データのノイズを低減させることができる。
【手続補正１５】
【補正対象書類名】明細書
【補正対象項目名】００３３
【補正方法】変更
【補正の内容】
【００３３】
無線の方法は、既存の種々の手段を用いることができる。医療現場を勘案すると、電磁波による医療機器への障害等を避けるために、赤外線等の光を用いるものや、ブルートゥースで代表されるような電磁波を用いるものが好ましい。赤外線等は、送信手段と受信手段との間に障害物があると、受信の障害になる場合がある。このような場合には、生体音採取手段との間に障害物が少ない位置で信号を受信し、信号処理手段へ転送する方法や、複数の受信手段で受信し、信号を選択、合成して利用する方法が用いられる。
【手続補正１６】
【補正対象書類名】明細書
【補正対象項目名】００３４
【補正方法】変更
【補正の内容】
【００３４】
請求項１２に記載の発明は、請求項１に記載の生体音信号処理システムにおいて、前記指示手段は、前記生体音採取手段の人体に対する接触若しくは接近又は引き離し動作に連動して、生体音の採取の開始又は終了の指示信号を送信することを特徴とする生体音信号処理システムシステムである。
【手続補正１７】
【補正対象書類名】明細書
【補正対象項目名】００３５
【補正方法】変更
【補正の内容】
【００３５】
請求項１２に記載の発明によれば、指示手段により、生体音採取手段の人体に対する接触若しくは接近又は引き離し動作に連動して、生体音の採取の開始又は終了の指示信号を送信することができる。
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００８４
【補正方法】変更
【補正の内容】
【００８４】
【発明の効果】
請求項１に記載の発明によれば、複数の異なる採取位置から逐次的に採取された生体音データを可視化処理し、採取位置に対応付けて表示するので、ユーザに複数の生体音データを容易に比較させることができ、診断精度を向上させることができる。また、指示手段により、採取位置の順番の変更指示又は採取済みデータの廃棄指示を含む処理動作指示信号を送信することができる。
【手続補正２１】
【補正対象書類名】明細書
【補正対象項目名】００８５
【補正方法】変更
【補正の内容】
【００８５】
請求項２に記載の発明によれば、複数の異なる採取位置から逐次的に採取された生体音データを可視化処理し、採取位置に対応付けて表示するので、ユーザに複数の生体音データを容易に比較させることができ、診断精度を向上させることができる。また、指示手段により、生体音採取手段の人体に対する接触若しくは接近又は引き離し動作に連動して、生体音の採取の開始又は終了の指示信号を送信することができる。
【手続補正２２】
【補正対象書類名】明細書
【補正対象項目名】００９１
【補正方法】変更
【補正の内容】
【００９１】
請求項９、１０に記載の発明によれば、同一人物から異なる時期に採取された複数の生体音データを比較することができるので、疾病の悪化や改善状況、治療や投薬の効果を定量的に把握することが可能となる。
【手続補正２３】
【補正対象書類名】明細書
【補正対象項目名】００９２
【補正方法】変更
【補正の内容】
【００９２】
請求項１１に記載の発明によれば、生体音採取手段から信号処理手段への生体音データの送信を無線で行うので、生体音採取手段と信号処理手段とをつなぐ信号配線が不要となり、生体音データのノイズを低減させることができる。
【手続補正２４】
【補正対象書類名】明細書
【補正対象項目名】００９３
【補正方法】変更
【補正の内容】
【００９３】
請求項１２に記載の発明によれば、指示手段により、生体音採取手段の人体に対する接触若しくは接近又は引き離し動作に連動して、生体音の採取の開始又は終了の指示信号を送信することができる。